(57)【要約】【課題】  遊技機の開閉枠の歪みを解消することが可能な技術を提供することを目的とする。【解決手段】    枠体には、開閉枠が開閉可能に接続され、開閉枠には、開閉枠が開く方向とは垂直な方向に回動可能な操作部が固定されている。また、この枠体には、閉状態の開閉枠のからの荷重を受ける枠体係合部が設けられ、開閉枠の底部には、閉状態において枠体係合部と係合するとともに、枠体係合部に上から荷重をかける開閉係合部が設けられている。これらの枠体係合部と開閉係合部との少なくとも一方は、開閉枠の開く側から閉じる側へ向けて斜め下方向に傾斜する傾斜面を有している。また、枠体係合部と開閉係合部とは、開閉枠の位置が閉状態の位置から開く方向にずれた場合に、傾斜面で互いに接することによって、開閉枠に閉じる方向の力がかかるように構成されている。【選択図】  図５
2006192004.tif 000002
【特許請求の範囲】
【請求項１】
遊技機であって、
枠体と、
前記枠体に開閉可能に接続される開閉枠と、
を備え、
前記開閉枠には、遊技球発射装置と、前記遊技球発射装置によって発射された遊技球を案内する発射レールと、のうちの少なくとも一方が固定され、さらに、前記開閉枠には、前記開閉枠が開く方向とは垂直な方向に回動可能な遊技用の操作部が固定され、
前記枠体には、閉状態の前記開閉枠からの荷重を受ける枠体係合部が設けられ、
前記開閉枠の底部には、閉状態において前記枠体係合部と係合するとともに、前記枠体係合部に上から荷重をかける開閉係合部が設けられ、
前記枠体係合部と前記開閉係合部との少なくとも一方は、前記開閉枠の開く側から閉じる側へ向けて斜め下方向に傾斜する傾斜面を有し、
前記枠体係合部と前記開閉係合部とは、前記開閉枠の位置が閉状態の位置から開く方向にずれた場合に、前記傾斜面で互いに接することによって、前記開閉枠に閉じる方向の力がかかるように構成されている、
遊技機。
【請求項２】
請求項１に記載の遊技機であって、
前記開閉枠は、水平方向に回動することによって開閉するように前記枠体に接続され、
正面から見たときの前記枠体係合部と前記開閉係合部とが前記傾斜面で互いに接する位置は、前記操作部の鉛直真下に相当する位置である真下相当位置と、前記開閉枠の回動の中心からみて前記真下相当位置よりも外側の位置と、のいずれかの位置に設定されている、
遊技機。
【請求項３】
請求項１に記載の遊技機であって、
前記開閉枠は、水平方向に回動することによって開閉するように前記枠体に接続され、
前記枠体係合部は、外側枠体係合部と内側枠体係合部とを含み、
前記開閉係合部は、外側開閉係合部と内側開閉係合部とを含み、
前記外側枠体係合部と前記外側開閉係合部とは閉状態において互いに係合するとともに、少なくとも一方は前記傾斜面としての外側傾斜面を有し、
正面から見たときの前記外側枠体係合部と前記外側開閉係合部とが前記外側傾斜面で互いに接する位置は、前記操作部の鉛直真下に相当する位置である真下相当位置と、前記開閉枠の回動の中心からみて前記真下相当位置よりも外側の位置と、のいずれかの位置に設定されており、
前記内側枠体係合部と前記内側開閉係合部とは閉状態において互いに係合するとともに、少なくとも一方は前記傾斜面としての内側傾斜面を有し、
正面から見たときの前記内側枠体係合部と前記内側開閉係合部とが前記内側傾斜面で互いに接する位置は、前記開閉枠の回動の中心からみて前記真下相当位置よりも内側の位置に設定されている、
遊技機。
【発明の詳細な説明】
【技術分野】
【０００１】
本発明は、開閉枠を備えた遊技機に関するものである。
【背景技術】
【０００２】
従来より、パチンコ機等の遊技機は、遊技球の発射装置や、発射された遊技球を案内する発射レール等の遊技機器を組み付けた前枠などの開閉枠を備えている。このような開閉枠は、遊技機内部の点検や修理を行うために、開閉可能であるように構成されている（例えば、特許文献１参照）。
【０００３】
【特許文献１】特開平９−２５３３０２号公報
【０００４】
ところで、遊技機の中には、開閉枠に、さらに、遊技者が操作可能なハンドルやレバー等の操作部が固定されているものがある。このような操作部に、想定されてない方向の力が加えられると、開閉枠に歪みが生じる可能性がある。ここで、開閉枠の歪みが解消されずに、遊戯機器が適切に動作できなくなる可能性があった。
【発明の開示】
【発明が解決しようとする課題】
【０００５】
本発明は、上述した従来の課題を解決するためになされたものであり、遊技機の開閉枠の歪みを解消することが可能な技術を提供することを目的とする。
【課題を解決するための手段】
【０００６】
上記課題の少なくとも一部を解決するために、この発明による遊技機は、枠体と、前記枠体に開閉可能に接続される開閉枠と、を備え、前記開閉枠には、遊技球発射装置と、前記遊技球発射装置によって発射された遊技球を案内する発射レールと、のうちの少なくとも一方が固定され、さらに、前記開閉枠には、前記開閉枠が開く方向とは垂直な方向に回動可能な遊技用の操作部が固定され、前記枠体には、閉状態の前記開閉枠からの荷重を受ける枠体係合部が設けられ、前記開閉枠の底部には、閉状態において前記枠体係合部と係合するとともに、前記枠体係合部に上から荷重をかける開閉係合部が設けられ、前記枠体係合部と前記開閉係合部との少なくとも一方は、前記開閉枠の開く側から閉じる側へ向けて斜め下方向に傾斜する傾斜面を有し、前記枠体係合部と前記開閉係合部とは、前記開閉枠の位置が閉状態の位置から開く方向にずれた場合に、前記傾斜面で互いに接することによって、前記開閉枠に閉じる方向の力がかかるように構成されている。
【０００７】
この遊技機は、開閉枠の位置が閉状態の位置から開く方向にずれた場合に、枠体係合部と開閉係合部とが傾斜面で互いに接することによって、開閉枠に閉じる方向の力がかかるので、開閉枠の歪みを解消することが可能となる。
【０００８】
上記遊技機において、前記開閉枠は、水平方向に回動することによって開閉するように前記枠体に接続され、正面から見たときの前記枠体係合部と前記開閉係合部とが前記傾斜面で互いに接する位置は、前記操作部の鉛直真下に相当する位置である真下相当位置と、前記開閉枠の回動の中心からみて前記真下相当位置よりも外側の位置と、のいずれかの位置に設定されていることが好ましい。
【０００９】
この構成によれば、枠体係合部と開閉係合部とが、開閉枠の歪みが生じやすい部分に設けられることとなるので、開閉枠の歪みを適切に解消することが可能となる。
【００１０】
上記遊技機において、前記開閉枠は、水平方向に回動することによって開閉するように前記枠体に接続され、前記枠体係合部は、外側枠体係合部と内側枠体係合部とを含み、前記開閉係合部は、外側開閉係合部と内側開閉係合部とを含み、前記外側枠体係合部と前記外側開閉係合部とは閉状態において互いに係合するとともに、少なくとも一方は前記傾斜面としての外側傾斜面を有し、正面から見たときの前記外側枠体係合部と前記外側開閉係合部とが前記外側傾斜面で互いに接する位置は、前記操作部の鉛直真下に相当する位置である真下相当位置と、前記開閉枠の回動の中心からみて前記真下相当位置よりも外側の位置と、のいずれかの位置に設定されており、前記内側枠体係合部と前記内側開閉係合部とは閉状態において互いに係合するとともに、少なくとも一方は前記傾斜面としての内側傾斜面を有し、正面から見たときの前記内側枠体係合部と前記内側開閉係合部とが前記内側傾斜面で互いに接する位置は、前記開閉枠の回動の中心からみて前記真下相当位置よりも内側の位置に設定されていることとしてもよい。
【００１１】
この構成によれば、２組の係合部が用いられるので、開閉枠の歪みを適切に解消することが可能となる。
【００１２】
なお、この発明は、種々の形態で実現することが可能であり、例えば、係合部を有する遊技機、遊技機に用いるための係合部を有する係合具、その係合具を有する遊技機、等の形態で実現することができる。
【発明を実施するための最良の形態】
【００１３】
以下、本発明の実施の形態について、実施例に基づき以下の順序で説明する。
Ａ．第１実施例：
Ｂ．第２実施例：
Ｃ．変形例：
【００１４】
Ａ．第１実施例：
図１は、本発明の一実施例としてのパチンコ遊技機の正面図である。このパチンコ遊技機９００は、外枠１０と、この外枠１０の前面に設けられた内枠２０と、この内枠２０の前面に設けられたガラス扉枠３０と下皿ユニット４０と、を有している。下皿ユニット４０は、ガラス扉枠３０の下側に位置している。これらの枠１０、２０、３０と、下皿ユニット４０と、のそれぞれは、木材や合成樹脂や金属等を用いて四角く組まれている。
【００１５】
パチンコ遊技機９００の左上には上側ヒンジ具７０が設けられ、左下には下側ヒンジ具９０が設けられ、さらに、左側のガラス扉枠３０と下皿ユニット４０と間の位置には、中央ヒンジ具８０が設けられている。外枠１０と内枠２０とは、上側ヒンジ具７０と下側ヒンジ具９０とによって、開閉可能に接続されている。また、内枠２０とガラス扉枠３０とは、上側ヒンジ具７０と中央ヒンジ具８０とによって開閉可能に接続されている。さらに、内枠２０と下皿ユニット４０とは、中央ヒンジ具８０と下側ヒンジ具９０とによって開閉可能に接続されている。
【００１６】
これらのヒンジ具７０、８０、９０の構成としては、開閉の対象（枠１０、２０、３０と下皿ユニット４０）を、軸と軸穴とを用いて、その軸を中心に開閉させる構成や、リンク機構を用いて開閉させる構成等の種々のヒンジ具の構成を採用することができる。
【００１７】
下皿ユニット４０の右側には、正面から見て左右の方向に回動可能なハンドル５０が固定されている。遊技者は、このハンドル５０を左右に回動させることによって、遊技球（後述）が発射される威力を調整することができる。このように、内枠２０の右下部には、下皿ユニット４０を介してハンドル５０が回動可能に固定されることとなる。なお、このハンドル５０の回動する方向（左右方向）は、内枠２０の開く方向（正面へ向かう方向）とは直交している。従って、通常の使用状態では、遊技者がハンドル５０を操作した場合であっても、内枠２０には、開く方向の力はかからない。
【００１８】
また、ガラス扉枠３０はガラス窓３２を有している。一方、内枠２０には各種遊技機器が取り付けられている。これらの遊技機器の一部は、ガラス窓３２越しに見えるように配置される（図示省略）。
【００１９】
図２は、ガラス扉枠３０を外した状態の内枠２０の正面図である。この内枠２０の下部には、発射装置２２と発射レール２４とが組み込まれている。発射装置２２は、遊技球を発射する。発射装置２２の構成としては、遊技球を打撃する打撃用パッドを、ソレノイドを用いて駆動する構成や、モータとバネとを用いて打撃用ハンマを駆動する構成等の周知の種々の構成を採用することができる。発射装置２２が遊技球を発射する威力は、ハンドル５０（図１）の回動位置を調整することによって調整される。発射装置２２が発射した遊技球は、発射レール２４によって内枠２０の開口２１（以下「遊技領域２１」とも呼ぶ）に導かれる。この遊技領域２１は円形状を有しており、ガラス扉枠３０（図１）のガラス窓３２越しに視認可能である。
【００２０】
内枠２０には、遊技領域２１を覆う遊技盤６０が裏側から固定されている。この遊技盤６０の表面（ガラス窓３２（図１）から見える側）には、遊技領域２１の縁に沿って設けられた外レール２６と、外レール２６の内側に設けられた内レール２８とが固定されている。発射レール２４によって誘導された遊技球は、外レール２６と内レール２８とによって、遊技領域２１の上部に誘導される。また、遊技盤６０の表面には、遊技球の落下方向を変化させる多数の障害釘や、遊技球が進入可能な入賞口等の各種部品が装着されている（図示省略）。このように、内枠２０には、遊技盤６０を介して外レール２６と内レール２８とが固定されることとなる。
【００２１】
図３は、内枠２０を開けた状態のパチンコ遊技機９００の斜視図である。ここで、前方向９００Ｆは、パチンコ遊技機９００の正面へ向かう方向であり、閉状態の内枠２０が開く方向でもある。以下、前方向９００Ｆ側を「表側」「前側」とも呼び、前方向９００Ｆとは逆の方向の側を「裏側」「後側」とも呼ぶ。
【００２２】
外枠１０は、その下部の前面に、左右に延びる幕板１２を備えている。この幕板１２の左側の端部の上面には、下側ヒンジ具９０が設けられている。閉状態の内枠２０は、この幕板１２の上面に載ることとなる。また、この幕板１２の、下側ヒンジ具９０が設けられた端部とは反対側（正面右側）の端部１２ｏｅの上面には、外側外枠係合部５００が固定され、幕板１２の上面の中央付近には内側外枠係合部５１０が固定されている。一方、内枠２０の底部の外側外枠係合部５００に載る部分には、外側内枠係合部６００が固定され、内側外枠係合部５１０に載る部分には、内側内枠係合部６１０が固定されている。なお、図３において、内側内枠係合部６１０は、遊技機器の後ろに隠れているので、点線で示されている。
【００２３】
また、内枠２０の正面から見て右側の裏面（図３の左側）には、上下に並ぶ２つの係止爪２０２、２０４が設けられている。これらの係止爪２０２、２０４は、内枠２０を閉じた状態において、外枠１０の右側面部１４の内側に固定された係止爪（図示省略）と係合される。その結果、内枠２０が意図せず開くことが防止される。
【００２４】
図４は、外枠係合部５００、５１０と、内枠係合部６００、６１０と、を示す説明図である。図４には、外枠１０と内枠２０との幕板１２付近の斜視図が示されている。外側外枠係合部５００は、水平な平板形状を有しており、幕板１２の上面に固定されている。また、外側外枠係合部５００の上面には、鉛直上方向へ突出した２つの凸部５０２、５０４が設けられている。これらの凸部５０２、５０４は、球を中心からオフセットした平面で切断して得られる凸形状と同様の形状を有しており、上面からみた凸部の中心の高さが最も高く、中心から外側に向かって徐々に滑らかに低くなるように形成されている。内側外枠係合部５１０も、外側外枠係合部５００と同じ形状を有している。なお、これらの外枠係合部５００、５１０は、金属板を用いて形成されている。
【００２５】
一方、外側内枠係合部６００は、内枠２０の裏側の鉛直な面に固定される平板状の側面部６０６と、側面部６０６の下部から、内枠２０の底面の下を正面に向かって延びる平板状の底面部６０８と、を有している。各面部６０６、６０８は、金属板を折り曲げることによって、一体に形成されている。また、この底面部６０８の下面には、鉛直上方向へ窪んだ２つの凹部６０２、６０４が設けられている。これらの凹部６０２、６０４は、上述した凸部５０２、５０４と同様の形状を有しており、下からみた凹部の中心の深さが最も深く、中心から外側に向かって徐々に滑らかに浅くなるように形成されている。内枠２０を閉じると、第１凹部６０２には、第１凸部５０２が嵌め込まれ、第２凹部６０４には、第２凸部５０４が嵌め込まれる。内側内枠係合部６１０も、外側内枠係合部６００と同じ形状を有している。
【００２６】
図５は、外側外枠係合部５００と外側内枠係合部６００との係合の様子を示す説明図である。図５（Ａ）（Ｂ）には、外側外枠係合部５００と外側内枠係合部６００とを内枠２０の側面からみた断面が示されている。図５（Ａ）は、内枠２０が閉状態にある場合の断面図を示し、図５（Ｂ）は、内枠２０が、閉状態の位置からずれた場合の断面図を示している。これらの断面図は、第１凸部５０２と第１凹部６０２との中心を通る断面である。
【００２７】
内枠２０が閉状態にある場合には、外側内枠係合部６００は、第１凹部６０２が第１凸部５０２の全体を覆うように、外側外枠係合部５００の上に載る。換言すれば、外側内枠係合部６００は、第１凸部５０２が第１凹部６０２に嵌め込まれた状態で、外側外枠係合部５００に支持される。この際、内枠２０の荷重は、外側内枠係合部６００と外側外枠係合部５００を介して、幕板１２（外枠１０）によって支えられる。
【００２８】
この状態で、遊技者が、誤ってハンドル５０を引っ張るなどして内枠２０に開く方向の力がかけられると、内枠２０が、閉状態の位置からずれる場合がある。図５（Ｂ）には、内枠２０が正面側（内枠２０の開く方向）にずれた場合が示されている。この状態では、第１凹部６０２は、第１凸部５０２から外れて、正面側（前方向９００Ｆ）にずれている。従って、内枠２０の外側内枠係合部６００に近い部分（正面から見て右下の部分）が、閉状態の位置（図５（Ａ））からずれて、内枠２０が歪むこととなる。その結果、発射装置２２（図２）が、発射レール２４の方向へ真っ直ぐに遊技球を発射できなくなることや、発射レール２４自体がねじれてしまい、遊技球を真っ直ぐに遊技領域２１へ誘導できなくなること、といった障害が生じ得る。すると、複数の遊技球を発射した場合に、発射された遊技球の勢いのバラツキが大きくなる可能性があった。
【００２９】
図５（Ｃ）には、図５（Ｂ）における第１凹部６０２付近の拡大図が示されている。図に示すように、第１凹部６０２の後ろ側（内枠２０の開く方向とは逆の方向。図５中の右方向）の縁（以下、「後方縁６０２ｂｅ」と呼ぶ）が、第１凸部５０２の後ろ側の傾斜面（以下、「後方傾斜面５０２ｂｓ」と呼ぶ」に乗り上げている。この後方縁６０２ｂｅには、内枠２０の荷重がかかっている。また、後方傾斜面５０２ｂｓは、手前から後ろへ向けて斜め下方向に傾斜している。従って、遊技者がハンドル５０から手を離すなどして内枠２０にかかっていた力がなくなると、後方縁６０２ｂｅは、後方傾斜面５０２ｂｓから後ろ方向（内枠２０の閉まる方向）に向かう力を受け、後方傾斜面５０２ｂｓに沿って後下方向に移動する。その結果、外側内枠係合部６００は、図５（Ａ）に示す閉状態の位置に移動するので、内枠２０の歪みが解消され、発射装置２２や発射レール２４の動作に障害が発生することが抑制される。
【００３０】
なお、遊技者が、誤ってハンドル５０を押した場合には、内枠２０に閉じる方向の力かかかる。但し、第１実施例のパチンコ遊技機９００では、閉状態の内枠２０の裏側には、外枠１０の右側面部１４（図３）と上面部１６とが接しているので、内枠２０は、障害が発生する程には歪まない。
【００３１】
以上、第１凸部５０２と第１凹部６０２とについて説明したが、第２凸部５０４と第２凹部６０４とも、同様に、内枠２０の位置が開く方向にずれた場合に、その位置ズレを解消するように機能する。また、内側外枠係合部５１０と内側内枠係合部６１０とについても、外側外枠係合部５００と外側内枠係合部６００と同様に、内枠２０の位置が閉状態の位置から開く方向にずれた場合に、その位置ズレを解消するように機能する。
【００３２】
このように、第１実施例のパチンコ遊技機９００では、遊技者がハンドル５０に想定されていない方向の力を加え、内枠２０が歪んだ場合であっても、外枠係合部５００、５１０と、内枠係合部６００、６１０とによって、内枠２０の歪みが解消される。その結果、発射装置２２と発射レール２４との動作に障害が生じることが抑制される。
【００３３】
特に、第１実施例では、内枠係合部６００、６１０が、内枠２０の底部に固定されているので、これらの内枠係合部６００、６１０にかかる内枠２０からの荷重が大きくなる。その結果、内枠２０の歪みを解消する方向の力も強くなるので、内枠２０の歪みを効率よく解消することが可能となる。
【００３４】
また、図２に示す第１実施例のパチンコ遊技機９００は、以下のような種々の特徴と利点を有している。第１の特徴点は、正面から見たときに、互いに係合する１組の係合部５００、６００が、ハンドル５０よりも、ヒンジ具９０から見て外側に設けられている点である。ところで、内枠２０は、ヒンジ具９０を中心に水平方向に回動する。従って、ハンドル５０が誤って引っ張られて内枠２０に歪みが生じる場合には、内枠２０の、ヒンジ具９０からみてハンドル５０よりも外側の部分に歪みが生じやすい。第１実施例では、このような、歪みが生じやすい部分に１組の係合部５００、６００が設けられている。その結果、内枠２０に生じた歪みを適切に解消することができるという利点がある。
【００３５】
なお、このような歪みを解消するためには、正面視（正面から見たとき）において、内枠２０が閉状態の位置からずれた場合に外枠係合部と内枠係合部とが傾斜面において互いに接する位置（以下、「係合部接触位置」と呼ぶ。図５（Ｃ）では、後方縁６０２ｂｅの位置）が、ヒンジ具９０、すなわち、内枠２０の回動の中心からみて、ハンドル５０よりも内側でないことが好ましい。すなわち、正面視において、係合部接触位置が、ハンドル５０の鉛直真下に相当する位置（以下「真下相当位置」と呼ぶ）と、ヒンジ具９０からみて真下相当位置よりも外側の位置と、のいずれかの位置であることが好ましい。
【００３６】
ここで、真下相当位置としては、係合部接触位置がハンドル５０よりも過剰に内側（内枠２０の回動の中心側）とならないような範囲内の位置を採用することが好ましく、正面視において、ハンドル５０と鉛直方向に重なる範囲内の位置を採用することが好ましく、また、ハンドル５０の回動の中心から鉛直下方向に延びる直線と重なる位置を採用することが特に好ましい。図２における正面位置範囲ＦＲは、ハンドル５０を水平面に投影して得られる写像が占める範囲である。従って、係合部接触位置を、この正面位置範囲ＦＲ内の位置と、この正面位置範囲ＦＲよりも外側（図２の右側）の位置と、のいずれかの位置に設定すれば、係合部接触位置がハンドル５０よりも過剰に内側となることを防止し、内枠２０に生じた歪みを適切に解消することができる。また、図２におけるハンドル垂線ＨＶＬは、ハンドル５０の回動の中心５０ｃから鉛直下方向に延びる線である。従って、係合部接触位置をこのハンドル垂線ＨＶＬ上の位置と、このハンドル垂線ＨＶＬよりも外側（図２の右側）の位置と、のいずれかの位置に設定すれば、より効果的に内枠２０の歪みを解消することができる。なお、ハンドル５０の写像が占める範囲（図２の正面位置範囲ＦＲ）が、ハンドル５０の回動位置によって変化する場合には、種々の回動位置における正面位置範囲を重ね合わせて得られる最大の範囲を用いればよい。
【００３７】
第２の特徴点は、別の１組の係合部５１０、６１０が、ハンドル５０よりも内側に設けられている点である。近年では、遊技機に立体的な装飾部材が設けられる傾向にあり、その結果、第１実施例においても、内枠２０の総重量（ガラス扉枠３０と下皿ユニット４０との重量を含む重量）が増大する傾向にある。すると、ハンドル５０が誤って引っ張られた場合には、ヒンジ具９０とハンドル５０との間でも内枠２０が撓んで歪むおそれがある。第１実施例では、このような、歪みの生じるおそれがある部分、すなわち、ヒンジ具９０とハンドル５０との間に別の１組の係合部５１０、６１０が設けられている。その結果、内枠２０に生じた歪みを適切に解消することができるという利点がある。また、外側外枠係合部５００と内側外枠係合部５１０とが別の部材で形成されているので、外枠１０に設ける係合部の大きさの小型化を図ることができる。同様に、外側内枠係合部６００と内側内枠係合部６１０とが別の部材で形成されているので、内枠２０に設ける係合部の大きさの小型化を図ることもできる。
【００３８】
Ｂ．第２実施例：
図６は、第２実施例における外枠係合部５００ｂと内枠係合部６００ｂとを示す説明図である。この外枠係合部５００ｂと、第１実施例における外枠係合部５００、５１０（図４、図５）、との差異は、凸部（例えば、凸部５０２、５０４）の代わりに、傾斜溝５０２ｂが設けられている点だけである。また、この内枠係合部６００ｂと、第１実施例における内枠係合部６００、６１０との差異は、凹部（例えば、凹部６０２、６０４）の代わりに、傾斜突起６０２ｂが設けられている点だけである。なお、これらの外枠係合部５００ｂと内枠係合部６００ｂとは、上述の第１実施例の外枠係合部５００、５１０、と、内枠係合部６００、６１０と、の代わりに用いられる。
【００３９】
図６（Ａ）には、外枠係合部５００ｂと内枠係合部６００ｂとの斜視図が示されている。外枠係合部５００ｂは、水平な平板形状を有しており、幕板１２の上面に固定されている。また、外枠係合部５００ｂの上面には、前方向９００Ｆとは直交する水平方向に延びる矩形の傾斜溝５０２ｂが設けられている。この傾斜溝５０２ｂの底は、手前から後ろに向けて斜め下方向に傾斜した平面形状を有している。
【００４０】
一方、内枠係合部６００ｂは、第１実施例の内枠係合部６００、６１０と同様に、内枠２０の裏側の鉛直な面に固定される平板状の側面部６０６ｂと、側面部６０６ｂの下部から、内枠２０の底面の下を正面に向かって延びる平板状の底面部６０８ｂと、を有している。この底面部６０８ｂの下面には、鉛直下方向へ突出した傾斜突起６０２ｂが設けられている。この傾斜突起６０２ｂは、上述した傾斜溝５０２ｂと同様の形状を有しており、手前から後ろに向けて斜め下方向に傾斜した傾斜面を有している。内枠２０を閉じると、この傾斜突起６０２ｂは、傾斜溝５０２ｂに嵌め込まれる。
【００４１】
図６（Ｂ）（Ｃ）には、外枠係合部５００ｂと内枠係合部６００ｂとを内枠２０の側面からみた断面が示されている。図６（Ｂ）は、内枠２０が閉状態にある場合の断面図を示し、図６（Ｃ）は、内枠２０が、閉状態の位置から正面側（前方向９００Ｆ）にずれた場合の断面図を示している。これらの断面図は、傾斜溝５０２ｂと傾斜突起６０２ｂとを通る断面図である。傾斜溝５０２ｂは、後ろ斜め下に向かって傾斜した傾斜面と、傾斜面の後方の端部から鉛直上方向に延びる鉛直面とを有している。また、傾斜突起６０２ｂも、同じ構造を有している。
【００４２】
内枠２０が閉状態にある場合には（図６（Ｂ））、内枠係合部６００ｂは、傾斜突起６０２ｂの全体が傾斜溝５０２ｂに嵌め込まれるように、外枠係合部５００ｂの上に載る。この際、傾斜溝５０２ｂの斜面の全体に傾斜突起６０２ｂの斜面が載ることとなる。
【００４３】
内枠２０が正面側にずれた場合には（図６（Ｃ））、傾斜突起６０２ｂが正面側（前方向９００Ｆ）にずれ、傾斜突起６０２ｂの斜面が、傾斜溝５０２ｂの斜面の手前側の一部とのみ接する状態となる。この状態で、遊技者がハンドル５０から手を離すなどして内枠２０にかかっていた力がなくなると、傾斜突起６０２ｂは、傾斜溝５０２ｂから後ろ方向（内枠２０の閉まる方向）に向かう力を受け、傾斜溝５０２ｂの斜面に沿って後下方向に移動する。その結果、内枠係合部６００ｂは、図６（Ｂ）に示す閉状態の位置に移動するので、内枠２０の歪みが解消され、発射装置２２や発射レール２４の動作に障害が発生することが抑制される。
【００４４】
なお、外枠係合部と内枠係合部との形状としては、上述した第１実施例や第２実施例の外枠係合部と内枠係合部との形状に限らず、種々の形状を採用することができる。一般に、外枠係合部と内枠係合部との形状としては、外枠係合部と内枠係合部との少なくとも一方が、内枠２０の開く側から閉じる側へ向けて斜め下方向に傾斜する傾斜面を有しており、閉状態の内枠２０が開く方向にずれた場合に、外枠係合部と内枠係合部とが傾斜面で接することによって、内枠２０に閉じる方向の力がかかるような任意の形状を採用することができる。例えば、図５に示す第１実施例において、凹部６０２の断面形状が、凸部５０２の断面形状とは異なる形状（例えば、矩形状）であってもよい。
【００４５】
Ｃ．変形例：
なお、この発明は上記の実施例や実施形態に限られるものではなく、その要旨を逸脱しない範囲において種々の態様において実施することが可能であり、例えば次のような変形も可能である。
【００４６】
変形例１：
上述の各実施例では、発射装置２２と発射レール２４とが、内枠２０に固定されていたが、発射装置２２と発射レール２４とのうちの一方のみが内枠２０に固定されることとしてもよい。例えば、他方を外枠１０に固定することとしてもよい。
【００４７】
変形例２：
上述の第１実施例では、外側外枠係合部５００と内側外枠係合部５１０とを別の部材を用いて形成していたが一体に形成してもよい。同様に、外側内枠係合部６００と内側内枠係合部６１０とを一体に形成してもよい。また、上述の各実施例では、各外枠係合部５００、５１０、５００ｂを、外枠１０とは別の部材を用いて形成していたが、この代わりに、外枠１０と一体に形成してもよい。同様に、各内枠係合部６００、６１０、６００ｂを、内枠２０と一体に形成してもよい。ただし、各内枠係合部６００、６１０、６００ｂを、内枠２０とは別の部材で形成すれば、傾斜面を有する各内枠係合部６００、６１０、６００ｂの製造を容易なものとすることができる。これは、各外枠係合部５００、５１０、５００ｂについても同様である。
【００４８】
いずれの場合も、外枠１０に設けられた外枠係合部と、内枠２０に設けられた内枠係合部と、が、内枠２０が閉状態の位置から開く方向へずれた場合に傾斜面で接する位置（係合部接触位置）を、以下のように設定することが好ましい。外枠係合部と内枠係合部とが複数箇所の傾斜面で接する場合、すなわち、係合部接触位置の総数が複数である場合には（図４の例では４カ所（各凸部５０２、５０４、５１２、５１４の位置）））、正面視において、少なくとも一部の係合部接触位置を、ハンドル５０の真下相当位置と、内枠２０の回動の中心からみて真下相当位置よりも外側の位置と、のいずれかの位置に設定することが好ましい。さらに、正面視において、他の少なくとも一部の係合部接触位置を、内枠２０の回動の中心からみて真下相当位置よりも内側の位置に設定することが特に好ましい。一方、係合部接触位置の総数を１つとしてもよい。この場合には、正面視において、その係合部接触位置を、ハンドル５０の真下相当位置と、内枠２０の回動の中心からみて真下相当位置よりも外側の位置と、のいずれかの位置に設定することが好ましい。
【００４９】
変形例３：
上述の各実施例では、正面から見て円形状を有するハンドル５０を用いているが、「操作部」の形状としては、このような円形状に限らず、種々の形状を採用することができる。例えば、棒形状を有するレバーを「操作部」として用いることとしてもよい。
【図面の簡単な説明】
【００５０】
【図１】本発明の一実施例としてのパチンコ遊技機９００の正面図である。
【図２】ガラス扉枠３０を外した状態の内枠２０の正面図である。
【図３】内枠２０を開けた状態のパチンコ遊技機９００の斜視図である。
【図４】外枠係合部５００、５１０と内枠係合部６００、６１０とを示す説明図である。
【図５】外側外枠係合部５００と外側内枠係合部６００との係合の様子を示す説明図である。
【図６】第２実施例における外枠係合部５００ｂと内枠係合部６００ｂとを示す説明図である。
【符号の説明】
【００５１】
１０...外枠
９００Ｆ...前方向
１２...幕板
１２ｏｅ...端部
１４...側面部
１６...上面部
２０...内枠
２１...遊技領域（開口）
２２...発射装置
２４...発射レール
２６...外レール
２８...内レール
３０...ガラス扉枠
３２...ガラス窓
４０...下皿ユニット
５０...ハンドル
６０...遊技盤
７０...上側ヒンジ具
８０...中央ヒンジ具
９０...下側ヒンジ具
２０２、２０４...係止爪
５００...外側外枠係合部
５０２、５１２...第１凸部
５０２ｂｓ...後方傾斜
５０４、５１４...第２凸部
５１０...内側外枠係合部
５００ｂ...外枠係合部
５０２ｂ...傾斜溝
６００...外側内枠係合部
６０２、６１２...第１凹部
６０２ｂｅ...後方縁
６０４、６１４...第２凹部
６０６、６１６...側面部
６０８、６１８...底面部
６１０...内側内枠係合部
６００ｂ...内枠係合部
６０２ｂ...傾斜突起
６０６ｂ...側面部
６０８ｂ...底面部
９００...パチンコ遊技機
【図１】
2006192004.tif 000003
【図２】
2006192004.tif 000004
【図３】
2006192004.tif 000005
【図４】
2006192004.tif 000006
【図５】
2006192004.tif 000007
【図６】
2006192004.tif 000008